(57)【特許請求の範囲】
【請求項１】
エレベータの昇降路内を昇降自在な乗りかごと釣合錘とを連結し、交互に一列状に配置された第１ロープと２つの第２ロープとを含む主ロープの一端部を固定する主ロープ固定装置であって、
前記主ロープの一端部を懸架する懸架部と、
前記懸架部に取り付けられ、前記第１ロープの前記一端部を折り返して形成された折返し部が挿入される楔形状部を含み、当該一端部を保持する第１ロープソケットと、
前記懸架部に取り付けられた２つの第２ロープソケットであって、各々が、対応する前記第２ロープの前記一端部を折り返して形成された折返し部が挿入される楔形状部を含み、当該一端部を保持する２つの第２ロープソケットと、を備え、
前記第１ロープソケットと２つの前記第２ロープソケットとは、交互に一列状に配置され、
前記第１ロープソケットの前記楔形状部は、前記第２ロープソケットの各々の前記楔形状部よりも前記懸架部の側に配置され、
前記第１ロープソケットおよび前記第２ロープソケットの各々は、前記懸架部を貫通して延びて前記楔形状部を前記懸架部に取り付けるロッドをそれぞれ含み、
前記ロッドのうち前記懸架部よりも前記楔形状部の側とは反対側の部分に、前記主ロープに張力を付与する付勢部材が装着され、
前記第１ロープソケットの前記ロッドに装着された前記付勢部材と前記懸架部との間に、介在部材が介在されていることを特徴とする主ロープ固定装置。
【請求項２】
前記主ロープの一端部を固定する請求項１に記載の前記主ロープ固定装置と、
前記主ロープの他端部を固定する第２の主ロープ固定装置と、を備え、
前記第２の主ロープ固定装置は、
前記主ロープの前記他端部を懸架する懸架部と、
前記懸架部に取り付けられ、前記第１ロープの前記他端部を折り返して形成された折返し部が挿入される楔形状部を含み、当該他端部を保持する第１ロープソケットと、
前記懸架部に取り付けられた２つの第２ロープソケットであって、各々が、対応する前記第２ロープの前記他端部を折り返して形成された折返し部が挿入される楔形状部を含み、当該他端部を保持する２つの第２ロープソケットと、を有し、
前記第２の主ロープ固定装置において、前記第１ロープソケットと２つの前記第２ロープソケットとは、交互に一列状に配置され、前記第２ロープソケットの各々の前記楔形状部は、前記第１ロープソケットの前記楔形状部よりも前記懸架部の側に配置されていることを特徴とするエレベータ装置。
【請求項３】
エレベータの昇降路内を昇降自在な乗りかごと釣合錘とを連結し、交互に一列状に配置された第１ロープと２つの第２ロープとを含む主ロープの一端部を固定する主ロープ固定装置であって、
前記主ロープの一端部を懸架する懸架部と、
前記懸架部に取り付けられ、前記第１ロープの前記一端部を折り返して形成された折返し部が挿入される楔形状部を含み、当該一端部を保持する第１ロープソケットと、
前記懸架部に取り付けられた２つの第２ロープソケットであって、各々が、対応する前記第２ロープの前記一端部を折り返して形成された折返し部が挿入される楔形状部を含み、当該一端部を保持する２つの第２ロープソケットと、を備え、
前記第１ロープソケットと２つの前記第２ロープソケットとは、交互に一列状に配置され、
前記第２ロープソケットの各々の前記楔形状部は、前記第１ロープソケットの前記楔形状部よりも前記懸架部の側に配置され、
前記第１ロープソケットおよび前記第２ロープソケットの各々は、前記懸架部を貫通して延びて前記楔形状部を前記懸架部に取り付けるロッドをそれぞれ含み、
前記ロッドのうち前記懸架部よりも前記楔形状部の側とは反対側の部分に、前記主ロープに張力を付与する付勢部材が装着され、
前記第２ロープソケットの各々の前記ロッドに装着された前記付勢部材と前記懸架部との間に、介在部材がそれぞれ介在されていることを特徴とする主ロープ固定装置。
【発明の詳細な説明】
【技術分野】
【０００１】
本発明の実施形態は、主ロープ固定装置およびエレベータ装置に関する。
【背景技術】
【０００２】
一般に、エレベータの乗りかごと釣合錘とを連結する主ロープの一端部は、乗りかご（または乗りかごの側の昇降路の天井壁）に設けられた主ロープ固定装置に固定され、他端部は、釣合錘（または釣合錘の側の昇降路の天井壁）に設けられた他の主ロープ固定装置に固定されている。このような主ロープ固定装置における主ロープの固定方式として、主ロープ固定装置のソケットに加熱して溶融させた合金を流し入れて、冷却させて硬化させた合金によって主ロープをソケットに保持するというバビット式の固定方式が知られている。
【先行技術文献】
【特許文献】
【０００３】
【特許文献１】特開２０１３−１９９３６８号公報
【発明の概要】
【発明が解決しようとする課題】
【０００４】
エレベータのリニューアル工事では、このようにして主ロープ固定装置に固定された主ロープを交換する場合がある。
【０００５】
この場合、新設の主ロープをソケットに保持させるために、上述したように、合金を火等で加熱して溶融させてソケットに流し入れていたため、作業に危険が伴っていた。また、主ロープの長さ調整や張力の調整の際には、合金をその都度加熱することが必要となり、調整作業が困難になり、時間を要していた。このため、主ロープの交換作業に、多くの作業時間が費やされるという課題があった。
【０００６】
本発明は、このような点を考慮してなされたものであり、バビット式で固定されていた主ロープの交換作業を安全に短時間で行うことができる主ロープ固定装置およびエレベータ装置を提供することを目的とする。
【課題を解決するための手段】
【０００７】
実施の形態による主ロープ固定装置は、エレベータの昇降路内を昇降自在な乗りかごと釣合錘とを連結し、互いに隣り合う第１ロープおよび第２ロープを含む主ロープの一端部を固定する主ロープ固定装置である。この主ロープ固定装置は、主ロープの一端部を懸架する懸架部と、懸架部に取り付けられ、第１ロープの一端部を折り返して形成された折返し部が挿入される楔形状部を含み、この一端部を保持する第１ロープソケットと、懸架部に取り付けられ、第２ロープの一端部を折り返して形成された折返し部が挿入される楔形状部を含み、この一端部を保持する第２ロープソケットと、を備えている。第１ロープソケットの楔形状部は、第２ロープソケットの楔形状部よりも懸架部の側に配置されている。
【０００８】
また、実施の形態によるエレベータ装置は、主ロープの一端部を固定する上述した主ロープ固定装置と、主ロープの他端部を固定する第２の主ロープ固定装置と、を備えている。第２の主ロープ固定装置は、主ロープの他端部を懸架する懸架部と、懸架部に取り付けられ、第１ロープの他端部を折り返して形成された折返し部が挿入される楔形状部を含み、この他端部を保持する第１ロープソケットと、懸架部に取り付けられ、第２ロープの他端部を折り返して形成された折返し部が挿入される楔形状部を含み、この他端部を保持する第２ロープソケットと、を有している。第２のロープ固定装置において、第２ロープソケットの楔形状部は、第１ロープソケットの楔形状部よりも懸架部の側に配置されている。
【０００９】
さらに、実施の形態による主ロープ固定装置は、エレベータの昇降路内を昇降自在な乗りかごと釣合錘とを連結し、互いに隣り合う第１ロープおよび第２ロープを含む主ロープの一端部を固定する主ロープ固定装置である。この主ロープ固定装置は、複数の貫通穴を有し、主ロープの一端部を懸架する懸架部と、懸架部に取り付けられ、第１ロープの一端部を折り返して形成された折返し部が挿入される楔形状部を含み、この一端部を保持する第１ロープソケットと、懸架部に取り付けられ、第２ロープの一端部を折り返して形成された折返し部が挿入される楔形状部を含み、この一端部を保持する第２ロープソケットと、を備えている。第１ロープソケットおよび第２ロープソケットは、懸架部の対応する貫通穴を貫通して延びて楔形状部を懸架部に取り付けるロッドをそれぞれ含んでいる。第１ロープソケットのロッドの長手方向と、第２ロープソケットのロッドの長手方向は、第１ロープソケットの楔形状部と第２ロープソケットの楔形状部との間隔が、対応する貫通穴の間隔よりも増大するように互いに対して傾斜している。
【図面の簡単な説明】
【００１０】
【図１】図１は、本発明の第１の実施の形態におけるエレベータ装置の構成を示す概略図である。
【図２】図２は、本発明の第１の実施の形態において、主ロープの一端部を固定するための第１主ロープ固定装置を示す図である。
【図３】図３は、本発明の第１の実施の形態において、主ロープの他端部を固定するための第２主ロープ固定装置を示す図である。
【図４】図４は、バビット式の主ロープ固定装置を示す図である。
【図５】図５は、図２の第１主ロープ固定装置の変形例を示す図である。
【図６】図６は、図３の第２主ロープ固定装置の変形例を示す図である。
【図７】図７は、本発明の第２の実施の形態における主ロープ固定装置を示す図である。
【発明を実施するための形態】
【００１１】
以下、図面を参照して、本発明の実施の形態について説明する。
【００１２】
（第１の実施の形態）
まず、図１乃至図４を用いて、本発明の第１の実施の形態における主ロープ固定装置およびエレベータ装置について説明する。ここでは、まず、エレベータ装置について図１を用いて説明する。
【００１３】
図１に示すように、エレベータ装置１は、昇降路２内を昇降自在な乗りかご３と、乗りかご３に主ロープ４を介して連結された釣合錘５と、主ロープ４を介して乗りかご３及び釣合錘５を昇降させる巻上機（昇降駆動部）６と、を備えている。主ロープ４は、互いに隣り合う第１ロープ１１および第２ロープ１２（いずれも図２参照）を含むように構成されて、巻上機６に連結されたトラクションシーブ７と、そらせシーブ８とに巻き掛けられている。このような構成において、巻上機６がトラクションシーブ７を回転駆動し、主ロープ４が巻き上げられて、乗りかご３及び釣合錘５がそれぞれ昇降する。
【００１４】
乗りかご３は、乗りかご本体３ａと、乗りかご本体３ａを支持し、乗りかご本体３ａを囲むように形成されたかご枠３ｂと、を有している。かご枠３ｂは、乗りかご本体３ａの上方に設けられた上梁３ｃを含んでいる。また、釣合錘５は、釣合錘本体５ａと、釣合錘本体５ａを支持し、釣合錘本体５ａを囲むように形成された錘枠５ｂと、を有しており、錘枠５ｂは、釣合錘本体５ａの上方に設けられた上梁５ｃを含んでいる。
【００１５】
本実施の形態では、乗りかご３の上梁３ｃに第１主ロープ固定装置２０が設けられ、釣合錘５の上梁５ｃに第２主ロープ固定装置４０が設けられている。そして、主ロープ４の一端部（乗りかご３の側の端部）が第１主ロープ固定装置２０に固定され、他端部（釣合錘５の側の端部）が第２主ロープ固定装置４０に固定されている。このようにして、各主ロープ固定装置２０、４０は、乗りかご３と釣合錘５とを連結する主ロープ４の対応する一端部を固定している。
【００１６】
以下、主ロープ固定装置２０、４０について、図２を用いて説明する。第１主ロープ固定装置２０と第２主ロープ固定装置４０の基本構成は共通しているため、ここでは、まず、共通する構成について説明する。
【００１７】
図２に示すように、主ロープ固定装置２０、４０は、複数の貫通穴２１ａを有し、主ロープ４の一端部を懸架するヒッチプレート２１（懸架部）と、ヒッチプレート２１に取り付けられた第１ロープソケット２２および第２ロープソケット３２と、を備えている。このうち貫通穴２１ａは、後述するバビット式主ロープ固定装置５０において、主ロープ４の第１ロープ１１および第２ロープ１２を固定するのに適した間隔で形成されている。なお、乗りかご３の側の主ロープ４の端部を固定する第１主ロープ固定装置２０にあっては、ヒッチプレート２１は、上述した乗りかご３の上梁３ｃに固定ないし一体化されており、釣合錘５の側の主ロープ４の端部を固定する第２主ロープ固定装置４０にあっては、ヒッチプレート２１は、釣合錘５の上梁５ｃに固定ないし一体化されている。
【００１８】
第１ロープソケット２２は、ソケット本体部２３と、ソケット本体部２３よりも主ロープ４の側に設けられた楔形状部２４と、ソケット本体部２３からヒッチプレート２１に向って延びて楔形状部２４およびソケット本体部２３をヒッチプレート２１に取り付けるロッド２５と、を含んでいる。このうち楔形状部２４は、主ロープ４の第１ロープ１１の一端部を折り返して形成された折返し部１１ａが挿入されるように構成されている。より具体的には、楔形状部２４は、ヒッチプレート２１の側から主ロープ４の側に向って互いに近づくように形成された一対の溝２４ａを含んでおり、第１ロープ１１の端部が、この楔形状部２４の溝２４ａの形状に沿って折り返され、その折り返された先端部１１ｂが、第１ロープ１１の本体部１１ｃ（巻上機６の側の部分）に重ね合わされて図示しないワイヤグリップ等によって締結されている。そして、第１ロープ１１の折返し部１１ａが挿入された第１ロープソケット２２の楔形状部２４に、図示しないカバーが取り付けられて、このカバーと楔形状部２４とが第１ロープ１１を挟み、第１ロープ１１の一端部が、第１ロープソケット２２に保持される。
【００１９】
第１ロープソケット２２のロッド２５は、ヒッチプレート２１の貫通穴２１ａを貫通して延びており、ロッド２５のうちヒッチプレート２１よりも楔形状部２４の側とは反対側の部分（ヒッチプレート２１から突出する部分、図２においてヒッチプレート２１の下側の部分）に、コイルばね２６（付勢部材）が装着されている。より具体的には、このコイルばね２６は、ロッド２５を挿通させるようにロッド２５に装着されている。また、ロッド２５にはナット２７が螺着されており、コイルばね２６は、ナット２７とヒッチプレート２１との間に配置されて圧縮され、第１ロープ１１に張力を付与するように構成されている。
【００２０】
第２ロープソケット３２は、上述した第１ロープソケット２２と同様の構成を有している。すなわち、第２ロープソケット３２は、ソケット本体部３３と、ソケット本体部３３よりも主ロープ４の側に設けられた楔形状部３４と、ソケット本体部３３からヒッチプレート２１に向って延びて楔形状部３４およびソケット本体部３３をヒッチプレート２１に取り付けるロッド３５と、を含んでいる。このうち、楔形状部３４は、主ロープ４の第２ロープ１２の一端部を折り返して形成された折返し部１２ａが挿入されるように構成されており、第２ロープ１２の一端部が、第２ロープソケット３２に保持されている。そして、第２ロープソケット３２のロッド３５にコイルばね２６が装着されてナット２７が螺着され、第２ロープ１２に張力が付与されるように構成されている。
【００２１】
上述したように、主ロープ４は、互いに隣り合う第１ロープ１１および第２ロープ１２を含んでいる。主ロープ４は、少なくとも１つの第１ロープ１１と、少なくとも１つの第２ロープ１２と、を含んでいればよく、第１ロープ１１の個数と第２ロープ１２の個数は、それぞれ限られることはなく任意である。そして、主ロープ固定装置２０、４０は、第１ロープ１１の個数に応じた個数の第１ロープソケット２２と、第２ロープ１２の個数に応じた個数の第２ロープソケット３２と、をそれぞれ含んでいる。図２および図３に示す形態では、一例として、主ロープ４が、１つの第１ロープ１１と２つの第２ロープ１２とを含んでおり、主ロープ固定装置２０、４０は、１つの第１ロープソケット２２と２つの第２ロープソケット３２とを含んでいる。第１ロープ１１と第２ロープ１２とは交互に並列に配置されており、これに応じて、第１ロープソケット２２と第２ロープソケット３２が交互に並列に配置されている。
【００２２】
次に、主ロープ４の乗りかご３の側の端部を固定する第１主ロープ固定装置２０と、主ロープ４の釣合錘５の側の端部を固定する第２主ロープ固定装置４０とにおいて共通していない構成について説明する。
【００２３】
第１主ロープ固定装置２０においては、図２に示すように、第１ロープソケット２２の楔形状部２４が、第２ロープソケット３２の楔形状部３４よりもヒッチプレート２１の側に配置されている。このことにより、第１ロープソケット２２と第２ロープソケット３２が、主ロープ４の延びる方向（主ロープ４の長手方向、図２の上下方向）において互いに異なる位置に配置され、互いに干渉することを防止しながら、第１ロープソケット２２と第２ロープソケット３２の間隔（主ロープ４の長手方向に直交する横方向の距離）が増大することを防止している。このような第１ロープソケット２２と第２ロープソケット３２の配置を実現するために、本実施の形態においては、第１ロープソケット２２のロッド２５の長さが、第２ロープソケット３２のロッド３５の長さより短くなっている。
【００２４】
一方、第２主ロープ固定装置４０においては、図３に示すように、第２ロープソケット３２の楔形状部３４が、第１ロープソケット２２の楔形状部２４よりもヒッチプレート２１の側に配置されている。このことにより、第１ロープソケット２２と第２ロープソケット３２が、主ロープ４の延びる方向において互いに異なる位置に配置され、互いに干渉することを防止しながら、第１ロープソケット２２と第２ロープソケット３２の間隔が増大することを防止している。このような第１ロープソケット２２と第２ロープソケット３２の配置を実現するために、本実施の形態においては、第２ロープソケット３２のロッド３５の長さが、第１ロープソケット２２のロッド２５の長さより短くなっている。
【００２５】
また、本実施の形態においては、上述したように、主ロープ４の乗りかご３の側の端部が、図２に示す第１主ロープ固定装置２０によって固定され、主ロープ４の釣合錘５の側の端部が、図３に示す第２主ロープ固定装置４０によって固定されている。この場合、第１ロープ１１の乗りかご３の側の端部を保持する第１ロープソケット２２の楔形状部２４は、ヒッチプレート２１に比較的近くに配置され（図２参照）、第１ロープ１１の釣合錘５の側の端部を保持する第１ロープソケット２２の楔形状部２４は、ヒッチプレート２１から比較的遠くに配置される（図３参照）。一方、第２ロープ１２の乗りかご３の側の端部を保持する第２ロープソケット３２は、ヒッチプレート２１から比較的遠くに配置され（図２参照）、第２ロープ１２の釣合錘５の側の端部を保持する第２ロープソケット３２は、ヒッチプレート２１に比較的近くに配置される（図３参照）。このことにより、主ロープ４の第１ロープ１１の長さと第２ロープ１２の長さを均一化させることができる。とりわけ、第１主ロープ固定装置２０における第１ロープソケット２２と第２ロープソケット３２の上下方向の位置ずれ量（図２参照）を、第２主ロープ固定装置４０における第１ロープソケット２２と第２ロープソケット３２の上下方向の位置ずれ量（図３参照）と同等にすることにより、第１ロープ１１の長さと第２ロープ１２の長さをより一層均一化させることができる。
【００２６】
ここで、主ロープ４を、バビット式で固定するバビット式主ロープ固定装置５０について図４を用いて説明する。
【００２７】
図４に示すバビット式主ロープ固定装置５０は、上述した第１主ロープ固定装置２０または第２主ロープ固定装置４０と同様のヒッチプレート２１と、ヒッチプレート２１に取り付けられたバビット式ソケット５１と、を備えている。バビット式ソケット５１は、ロープ１１、１２の端部を、合金で保持している。すなわち、ロープ１１、１２の一端部をバビット式ソケット５１内に挿入し、そのバビット式ソケット５１内に、加熱して溶融した合金を流し入れ、冷却して硬化して、ロープ１１、１２をバビット式ソケット５１に接合する。このようにして、バビット式ソケット５１がロープ１１、１２を保持するように構成されている。この場合、バビット式ソケット５１内で、ロープ１１、１２を折り返すことが不要となるため、バビット式ソケット５１は、上述した第１ロープソケット２２や第２ロープソケット３２よりも小形化することができる。このことにより、各バビット式ソケット５１とヒッチプレート２１との間の距離を等しくして各バビット式ソケット５１を横方向に一列状に配置することができる。なお、バビット式ソケット５１は、図２、図３に示す主ロープ固定装置２０、４０と同様に、コイルばね２６が装着されるとともにナット２７が螺着されて、コイルばね２６によってロープ１１、１２に張力が付与されるようになっている。
【００２８】
図２、図３に示すような本実施の形態による主ロープ固定装置２０、４０は、図４に示すバビット式主ロープ固定装置５０に固定されていた既設の主ロープ４を交換した後に、ロープ１１、１２の間隔を維持しながら、楔式で主ロープ４を固定するために好適に用いることができる。すなわち、第１ロープソケット２２の楔形状部２４と、第２ロープソケット３２の楔形状部３４を、主ロープ４の延びる方向において、異なる位置に配置されるように第１ロープソケット２２と第２ロープソケット３２とを配置することができ、これにより、バビット式ソケット５１によって比較的短い間隔で主ロープ４のロープ１１、１２を並列配置させていた場合であっても、これと同じ間隔で、第１ロープソケット２２と第２ロープソケット３２とを互いに干渉することを防止しながら配置させて、主ロープ４を固定可能になっている。また、この場合、ヒッチプレート２１に形成されていたロッド２５、３５を貫通させるための貫通穴２１ａを流用することができ、ヒッチプレート２１の追加加工を不要とすることができる。
【００２９】
次に、このような構成からなる本実施の形態の作用について説明する。ここでは、エレベータ装置１のリニューアル工事の際に既設の乗りかご３と釣合錘５は流用しつつ主ロープ４を交換する方法について説明する。より具体的には、既設のエレベータ装置１において、主ロープ４が図４に示すバビット式主ロープ固定装置５０に固定され、主ロープ４の交換後に、図２および図３に示す主ロープ固定装置２０、４０に固定する方法について説明する。
【００３０】
まず、図４に示すバビット式主ロープ固定装置５０において、ナット２７とコイルばね２６が取り外される。続いて、主ロープ４のロープ１１、１２が、バビット式ソケット５１とともに取り外される。
【００３１】
次に、新設用の各ロープ１１、１２の両端部に、第１ロープソケット２２、第２ロープソケット３２がそれぞれ取り付けられる。具体的には、ロープ１１、１２の端部をロープソケット２２、３２の楔形状部２４、３４の溝２４ａ、３４ａの形状に沿わせて折り返して折返し部１１ａ、１２ａを形成し、折り返された先端部１１ｂ、１２ｂが、ロープ１１、１２の本体部１１ｃ、１２ｃに重ね合わされてワイヤグリップによって締結される。そして、各ロープソケット２２、３２に、図示しないカバーが取り付けられて、各ロープ１１、１２の両端部がロープソケット２２、３２に保持される。
【００３２】
その後、各ロープソケット２２、３２のロッド２５、３５が、ヒッチプレート２１の貫通穴２１ａに挿入され、ロッド２５、３５にコイルばね２６が装着されてナット２７が螺着される。ナット２７は、ロープ１１、１２に所望の張力が付与できる位置に螺着される。
【００３３】
このようにして、図２に示す第１主ロープ固定装置２０が得られ、図３に示す第２主ロープ固定装置４０が得られ、主ロープ４の交換作業が完了する。
【００３４】
このように本実施の形態によれば、第１主ロープ固定装置２０において、第１ロープソケット２２の楔形状部２４が、第２ロープソケット３２の楔形状部３４よりもヒッチプレート２１の側に配置されている。このことにより、第１ロープソケット２２と第２ロープソケット３２が、主ロープ４の延びる方向において互いに異なる位置に配置され、互いに干渉することを防止しながら、比較的短い間隔で並列配置されている主ロープ４のロープ１１、１２を、その間隔を維持しながら保持することができる。このため、比較的短い間隔でロープ１１、１２が並列配置され得るバビット式主ロープ固定装置５０によって固定されている既設の主ロープ４を交換する場合であっても、新設の主ロープ４を楔式の主ロープ固定装置２０、４０によって固定することができる。この結果、バビット式で固定された主ロープ４の交換作業の際に、加熱作業を不要とすることができ、交換作業を安全に短期間で行うことができる。また、この場合、ロープ１１、１２の間隔を維持することができるため、既設のトラクションシーブ７（図１参照）などを交換することなく流用することができる。
【００３５】
また、本実施の形態によれば、第１主ロープ固定装置２０において、第１ロープソケット２２のロッド２５の長さが、第２ロープソケット３２のロッド３５の長さより短くなっている。このことにより、第１ロープソケット２２の楔形状部２４を、第２ロープソケット３２の楔形状部３４よりもヒッチプレート２１の側に配置することができる。
【００３６】
また、本実施の形態によれば、主ロープ４の一端部（乗りかご３の側の端部）が第１主ロープ固定装置２０によって固定され、主ロープ４の他端部（釣合錘５の側の端部）が第２主ロープ固定装置４０によって固定され、第２主ロープ固定装置４０において、第２ロープソケット３２の楔形状部３４が、第１ロープソケット２２の楔形状部２４よりもヒッチプレート２１の側に配置されている。このことにより、第１ロープ１１の長さと第２ロープ１２の長さを均一化させることができる。この場合、第１ロープ１１の張力と第２ロープ１２の張力を容易に調整することができる。
【００３７】
なお、上述した本実施の形態においては、第１主ロープ固定装置２０において、第１ロープソケット２２のロッド２５の長さが、第２ロープソケット３２のロッド３５の長さより短くなっている例について説明した。しかしながら、このことに限られることはなく、例えば、図５に示すように、第１ロープソケット２２のロッド２５に装着されたコイルばね２６とヒッチプレート２１との間に、円筒状のブロック６０（介在部材）が介在されていてもよい。この場合、ブロック６０は、コイルばね２６と同様に第１ロープソケット２２のロッド２５を挿通させるようにロッド２５に装着される。このことにより、第１ロープソケット２２のロッド２５を、第２ロープソケット３２のロッド３５よりもコイルばね２６の側に引き込むことができ、第１ロープソケット２２のロッド２５の長さと第２ロープソケット３２のロッド３５の長さとが同一であっても、第１ロープソケット２２の楔形状部２４を、第２ロープソケット３２の楔形状部３４よりもヒッチプレート２１の側に配置させることができる。
【００３８】
また、図５に示す形態は、第２主ロープ固定装置４０に適用することも可能である。すなわち、上述した本実施の形態においては、第２主ロープ固定装置４０において、第２ロープソケット３２のロッド３５の長さが、第１ロープソケット２２のロッド２５の長さより短くなっている例について説明した。しかしながら、このことに限られることはなく、例えば、図６に示すように、第２ロープソケット３２に装着されたコイルばね２６とヒッチプレート２１との間に、円筒状のブロック６０（介在部材）が介在されていてもよい。このことにより、第１ロープソケット２２のロッド２５の長さと第２ロープソケット３２のロッド３５の長さとが同一であっても、第２ロープソケット３２の楔形状部３４を、第１ロープソケット２２の楔形状部２４よりもヒッチプレート２１の側に配置させることができる。また、図５に示す形態と図６に示す形態とを組み合わせることにより、主ロープ４の第１ロープ１１の長さと第２ロープ１２の長さを均一化させることができる。
【００３９】
さらに、上述した本実施の形態においては、主ロープ４の乗りかご３の側の端部を第１主ロープ固定装置２０によって固定し、主ロープ４の釣合錘５の側の端部を第２主ロープ固定装置４０によって固定する例について説明した。しかしながら、このことに限られることはなく、主ロープ４の乗りかご３の側の端部は、第２主ロープ固定装置４０によって固定され、主ロープ４の釣合錘５の側の端部は、第１主ロープ固定装置２０によって固定されていてもよい。また、主ロープ４の少なくとも一端部が、第１主ロープ固定装置２０または第２主ロープ固定装置４０によって固定されていればよい。この場合であっても、バビット式で固定された主ロープ４の交換作業の際に、加熱作業を削減することができ、交換作業を安全に短期間で行うことが可能となる。
【００４０】
（第２の実施の形態）
次に、図７により、本発明の第２の実施の形態における主ロープ固定装置およびエレベータ装置について説明する。
【００４１】
図７に示す第２の実施の形態においては、第１ロープソケットのロッドの長手方向と、第２ロープソケットのロッドの長手方向は、第１ロープソケットの楔形状部と第２ロープソケットの楔形状部との間隔がヒッチプレートの対応する貫通穴の間隔よりも増大するように互いに対して傾斜しているが主に異なり、他の構成は、図１乃至図４に示す第１の実施の形態と略同一である。なお、図７において、図１乃至図４に示す第１の実施の形態と同一部分には同一符号を付して詳細な説明は省略する。
【００４２】
図７に示すように、第１ロープソケット２２のロッド２５の長手方向と、第２ロープソケット３２のロッド３５の長手方向は、第１ロープソケット２２の楔形状部２４と第２ロープソケット３２の楔形状部３４との間隔が、ヒッチプレート２１の対応する（互いに隣り合う）貫通穴２１ａの間隔よりも増大するように互いに対して傾斜している。
【００４３】
より具体的には、図７に示す形態では、主ロープ４が、２つの第１ロープ１１と１つの第２ロープ１２とを含んでおり、第１主ロープ固定装置２０は、２つの第１ロープソケット２２と１つの第２ロープソケット３２とを含んでいる。第１ロープ１１と第２ロープ１２とは交互に並列に配置されており、これに応じて、第１ロープソケット２２と第２ロープソケット３２が交互に並列に配置されている。
【００４４】
そして、第１ロープソケット２２のロッド２５の長手方向が、ヒッチプレート２１に対して傾斜し、第２ロープソケット３２のロッド３５の長手方向が、ヒッチプレート２１に対して略垂直になっている。このようにして、第１ロープソケット２２のロッド２５の長手方向は、第１ロープソケット２２の楔形状部２４が、隣り合う第２ロープソケット３２の楔形状部３４から遠ざかる方向に傾斜している。
【００４５】
本実施の形態では、図７に示すように、第１ロープソケット２２のロッド２５に装着されたコイルばね２６とヒッチプレート２１との間に、円筒状のブロック７０（介在部材）が介在されている。この場合、ブロック７０は、コイルばね２６と同様に第１ロープソケット２２のロッド２５を挿通させるようにロッド２５に装着される。
【００４６】
ブロック７０のヒッチプレート２１の側の面７０ａとコイルばね２６の側の面７０ｂは、互いに対して傾斜している。より具体的には、図７に示す形態では、ブロック７０のコイルばね２６の側の面７０ｂが、ヒッチプレート２１に対して傾斜し、当該面７０ｂに沿ってコイルばね２６およびナット２７が傾斜している。これにより、コイルばね２６およびナット２７に沿って第１ロープソケット２２のロッド２５の長手方向がヒッチプレート２１に対して傾斜し、第１ロープソケット２２の楔形状部２４と第２ロープソケット３２の楔形状部３４との間隔が、ヒッチプレート２１の貫通穴２１ａの間隔よりも増大している。なお、ロッド２５は、ソケット本体部２３、３３に対して枢動自在に構成してもよい。この場合、ロッド２５の傾斜角度に関わらず、主ロープ４の第１ロープ１１と第２ロープ１２とを略平行にすることができる。なお、主ロープ４の延びる方向における第１ロープソケット２２の楔形状部２４と第２ロープソケット３２の楔形状部３４との位置関係は、図７に示す位置関係に限られることなく、例えば、図２に示すように、第１ロープソケット２２の楔形状部２４が、第２ロープソケット３の楔形状部３４よりもヒッチプレート２１の側に配置するようにしてもよく、若しくはその逆の関係で配置するようにしてもよく、あるいは、これらの楔形状部２４、３４が、ヒッチプレート２１からの距離が同等となるように横方向に並べて配置するようにしてもよく、任意とすることができる。
【００４７】
このように本実施の形態によれば、第１ロープソケット２２のロッド２５の長手方向と、第２ロープソケット３２のロッド３５の長手方向は、第１ロープソケット２２の楔形状部２４と第２ロープソケット３２の楔形状部３４との間隔が、ヒッチプレート２１の貫通穴２１ａの間隔よりも増大するように互いに対して傾斜している。このことにより、第１ロープソケット２２の楔形状部２４と第２ロープソケット３２の楔形状部３４の間隔を増大させて、第１ロープソケット２２の楔形状部２４と第２ロープソケット３２の楔形状部３４とが互いに干渉することを防止しながら、既設のヒッチプレート２１を流用して、主ロープ４のロープ１１、１２を保持することができる。このため、比較的短い間隔でロープ１１、１２が並列配置され得るバビット式主ロープ固定装置５０によって固定されている既設の主ロープ４を交換する場合であっても、新設の主ロープ４を楔式の主ロープ固定装置２０、４０によって固定することができる。また、この場合、既設のヒッチプレート２１を交換することなく流用することができるが、ヒッチプレート２１の貫通穴２１ａは、第１ロープソケット２２のロッド２２の傾斜の程度に応じて、拡大させる追加加工を行ってもよい。
【００４８】
なお、本実施の形態においては、図７に示すように、第１主ロープ固定装置２０を例にとって説明したが、このことに限られることはなく、図３に示すような第２主ロープ固定装置４０に適用することもできる。
【００４９】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
【００５０】
例えば、上述した本実施の形態においては、第１主ロープ固定装置２０が乗りかご３の上梁３ｃに固定されるとともに、第２主ロープ固定装置４０が釣合錘５の上梁５ｃに固定されている例について説明した。しかしながら、このことに限られることはなく、第１主ロープ固定装置２０および第２主ロープ固定装置４０は、エレベータ装置１が設置された建屋（昇降路の天井壁など）に固定されていてもよい。この場合、主ロープ４の乗りかご３の側の部分は、乗りかご３の上梁３ｃに設けられたシーブ（図示せず）に巻き掛けられて第１主ロープ固定装置２０に固定され、主ロープ４の釣合錘５の側の部分は、釣合錘５の上梁５ｃに設けられたシーブ（図示せず）に巻き掛けられて第２主ロープ固定装置４０に固定することができる。
【符号の説明】
【００５１】
１１  第１ロープ、１１ａ  折返し部、１２  第２ロープ、１２ａ  折返し部、２０  第１主ロープ固定装置、２１  ヒッチプレート、２２  第１ロープソケット、２４  楔形状部、２５  ロッド、２６  コイルばね、３２  第２ロープソケット、３４  楔形状部、３５  ロッド、４０  第２主ロープ固定装置、６０  ブロック、７０  ブロック、７０ａ  ヒッチプレートの側の面、７０ｂ  コイルばねの側の面
【図１】
0005963322.tif 000002
【図２】
0005963322.tif 000003
【図３】
0005963322.tif 000004
【図４】
0005963322.tif 000005
【図５】
0005963322.tif 000006
【図６】
0005963322.tif 000007
【図７】
0005963322.tif 000008